(57)【要約】本発明は椅子（１）、特に椅子の調節可能な背部（２）および頭支え（３）をもつ椅子中の装置に関し、そこで頭支え（３）の１区画と椅子構造物上の取り付け区画の間に、例えばロッド（１７）を伴なう連結素子（１８）が配置され、椅子の調節可能な背部（２）の移動により、椅子の背部（２）に対する頭支え（３）の角度に影響を与えるようになっており、そして本発明に従い、単純な手段により椅子の背部の傾斜位において開放されることを頭支え上に指示を与える目的のための、手動もしくは自動的方法のいずれかで椅子の背部の傾斜位で作動する、溝（２１）、遮断装置（２２）および結合機関（２４）が提唱されている。
2004530522.tif 000002
【特許請求の範囲】
【請求項１】
椅子の調節可能な背部（２）の移動により椅子の背部（２）に対する頭支え（３）の角度に影響を与えるようになっており、そこで椅子の背部（２）の傾斜位における頭支えの角度が連結素子の有効な長さを変えることにより変更することができ、連結素子（１８）が相互に対してロックされることができるスライダーを受納するガイド（２０）を含んで成り、ガイド（２０）およびスライダー（２３）が重力に影響される遮断装置（２２）と共働して、短い状態の連結素子において連結素子（１８）にロックされた連結状態をもたらすことを特徴とする、頭支え（３）上の１区画と椅子上の取り付け区画の間に配置させるための、椅子の調節可能な背部（２）および頭支え（３）を備えた椅子（１）のための連結素子。
【請求項２】
連結素子（１８）がガイド（２０）中のスライダー（２３）の外側への移動を制限する停止装置（２５）により達成されることを特徴とする、請求項１記載の連結素子。
【請求項３】
停止装置（２５）がスライダー（２３）中のトラック（２６）中を走行する、ガイド（２０）に取り付けられたストッパーから成ることを特徴とし、前記トラックがガイド（２０）中のスライダー（２３）の移動を第１の末端制限部（ｒｅｓｔｒｉｃｔｉｏｎ）（Ｃ）までに制限し、かつ同様にスライダー（２３）が第２の末端制限部（Ｄ）によりガイド（２０）から離脱することを阻止する、請求項２記載の連結素子。
【請求項４】
連結素子（１８）のガイド（２０）および／もしくはスライダー（２３）および／もしくはロッド（１７）が可塑性材料のような成形可能な材料から製造されていることを特徴とする、請求項１〜３記載の連結素子。
【請求項５】
連結素子（１８）が、一部分柔軟な材料で製造されることができ、そして／または僅かにアーチ状にされた、もしくは少なくとも僅かな角度を含むロッド（１７）を備えていることを特徴とする、請求項１〜４記載の連結素子。
【請求項６】
ロッド（１７）が更に、回転および／もしくはそれらの間の角度の変動を許すようにスライダー（２３）に取り付けられている、請求項１〜５記載の連結素子。
【請求項７】
連結素子が主として円形、楕円形、正方形もしくは多角形、好ましくは円形の横断面を有することを特徴とする、請求項１〜６記載の連結素子。
【請求項８】
遮断装置（２２）が球形もしくは円筒形もしくはその他の移動可能な遮断装置、好ましくは球形の形態にあることを特徴とする、請求項１〜７記載の連結素子。
【請求項９】
椅子の背部（２）の直立位における遮断装置（２２）がスライダー（２３）中の結合機関（２４）の浅い部分（Ａ）とガイド（２０）中の溝（２１）の間でロックされて、椅子の背部が完全に傾斜されるまで頭支え機能を実行することを特徴とし、そして
−椅子の背部の傾斜位にある頭支えの僅かな（手動の）前方への引っ張りが遮断装置（２２）をロック位から開放し、頭支え（３）を開放するために重力により結合機関（２４）のより深い位置（Ｂ）中に落下するであろうことを特徴とし、そして
−連結素子（１８）と共働して、頭支えの機能を再獲得するために、椅子の背部（２）の新規の直立位にある遮断装置（２２）が最初に再度、スライダー（２３）中の結合機関（２４）中の浅い部分（Ａ）とガイド（２０）中の溝（２１）の間に落下するであろうことを特徴とする、
椅子の調節可能な背部（２）および頭支え（３）をもち、頭支え（３）上の１区画と椅子上の取り付け区画の間に配置され、椅子の調節可能な背部（２）の移動により椅子の背部（２）に対する頭支え（３）の角度に影響を与えるようになっており、そこで椅子の背部（２）の傾斜位における頭支えの角度を連結素子の有効な長さを変えることにより変更することができる、前記請求項の１つに記載の連結素子をもつ、椅子（１）。
【請求項１０】
請求項１〜９のいずれかに記載の連結素子に加えて、頭支えの回転運動を制限する、頭支え（３）と椅子の背部（２）の間に取り付けられた駆動装置（３０）を含んで成ることを特徴とする、請求項９記載の椅子。
【発明の詳細な説明】
【技術分野】
【０００１】
本発明は、頭支え（ｈｅａｄ  ｒｅｓｔ）と椅子構造物（ｃｈａｉｒ  ｃｏｎｓｔｒｕｃｔｉｏｎ）の間に配置され、頭支えの角度を椅子の背部の傾斜位（ｒｅｃｌｉｎｅｄ  ｐｏｓｉｔｉｏｎ）における連結素子（ｃｏｎｎｅｃｔｉｎｇ  ｅｌｅｍｅｎｔ）の有効な長さ（ｅｆｆｅｃｔｉｖｅ  ｌｅｎｇｔｈ）を変えることにより変更することができるように、椅子の調節可能な（ａｄｊｕｓｔａｂｌｅ）背部の移動により、椅子の背部に対する頭支えの角度に影響を与えるようになっている、椅子の調節可能な背部および頭支えをもつ椅子のための長さ調節可能な連結素子に関する。
【背景技術】
【０００２】
引用文献として本明細書中に取り込まれている特許文献１から、頭支えと椅子上の適当な位置の間に伸長する望遠鏡様の（入れ子式の）（ｔｅｌｏｓｃｏｐｉｃ）長さ調節可能な連結素子を使用することにより、頭支えを椅子の背部の相対的な傾斜位に対して調節することができる、椅子の調節可能な背部および頭支えをもつ椅子のための装置が知られる。この装置は椅子の座面（ｕｐｈｏｌｓｔｅｒｙ）をとおして操作しなければならない、比較的複雑で、高価な調節機関およびロック機関（ｌｏｃｋｉｎｇ  ｏｒｇａｎ）を有し、かつ満足な方法で機能させることが困難である（特許文献１参照）。
【特許文献１】
国際公開第９２／０６６２１号パンフレット。
【発明の開示】
【発明が解決しようとする課題】
【０００３】
本発明の基礎は、丈夫で、信頼性があり、かつ使用時に静かな単純な部品を含んで成る連結素子を提供する目的にある。
【０００４】
本発明の更なる目的はアーチ状にされた（ａｒｃｈｅｄ）ガイド（ｇｕｉｄｅｓ）をもつような椅子および更に調節可能な腰部（ｌｏｗｅｒ  ｂａｃｋ）支持体をもつような椅子を含む、頭支えをもつあらゆる椅子に採用できる手動もしくは自動調節装置を伴なう連結素子を提供することである。
【課題を解決するための手段】
【０００５】
前記の目的は、本発明に従って付記の請求項１から明白な特徴物を特徴とする、序文で与えられた種類の装置により達成される。
【０００６】
本発明の更なる特徴物および利点は付記の図面および更なる付記の特許請求項と共同して下記の説明から明白であろう。
【実施例】
【０００７】
図１においては、椅子１が調節可能な頭支え３をもつ椅子の調節可能な背部（ｂａｃｋ）２を含んで成る、特許文献１に開示された種類の椅子１の枠組みが主として示される。
【０００８】
図１に特記された椅子は頭支え３の特別な調節装置を有することを理解しなければならない。頭支えは、椅子の背部が傾斜される時に直立位を維持するように作動する。椅子の背部の傾斜位においては、頭支えのこの機能は頭支えをいくらか前方に引っ張ることにより遮断することができる。次に頭支えを傾斜させることができる。
【０００９】
図１において、椅子の背部２は回転軸（ａｘｉｓ  ｏｆ  ｒｏｔａｔｉｏｎ）９の周囲で支持されて、下方部分の椅子の背部が同時に椅子の座席部分５への連結継ぎ目（ｃｏｎｎｅｃｔｉｏｎ  ｊｏｉｎｔ）１０を有するので、周知の移動機構（ｍｏｖｅｍｅｎｔ  ｍｅｃｈａｍｉｓｍ）８により達成される、椅子の背部２が異なる角度の位置を採ることを可能にする。
【００１０】
図１において、頂上では頭支え上の接合具（ｊｏｉｎｔ）１９に取り付けられ、かつ、下方部分では回転軸９から一定の距離にある、椅子の枠組みの恒常的部分上の接合具（ｊｏｉｎｔ）７に取り付けられている、ロッド（ｒｏｄ）１７をもつ連結素子１８も示されている。ロッド１７をもつ連結素子１８は主として２種の異なる長さの位置を採ることができ、とりわけ椅子の背部２が直立位にあり、そこで頭支え３が椅子の背部２のほとんど延長線であり、そして椅子の背部とその最大角度（ほとんど１８０°）を形成する時にその最短の長さを有する。椅子の背部２が図１に示した位置に傾斜されると、椅子の背部２およびロッド１７をもつ連結素子１８の相対的移動は、頭支え３が椅子の背部２に対してより急な角度に前方に引かれることを意味するであろう。次に、機構（ｍｅｃｈａｎｉｓｍ）の助けにより連結素子を長くして、頭支えを点線の位置３’に傾斜させることができる。
【００１１】
図２〜５においては、本発明に従う連結素子の１態様が示されている。
【００１２】
この態様においては、連結素子１８は、頭支え３が連結素子の長さを変更することにより前記の方法で影響を受けることができるように相互に共働する溝（ｇｒｏｏｖｅ）２１、遮断装置（ｂｌｏｃｋｉｎｇ  ｄｅｖｉｃｅ）２２および連結機関（ｃｏｕｐｌｉｎｇ  ｏｒｇａｎ）２４を含んで成る。連結素子１８の長さは本態様においては停止装置（ｓｔｏｐｐｉｎｇ  ｄｅｖｉｃｅ）２５およびトラック（ｔｒａｃｋ）２６により更に制限される。
【００１３】
図６および７においては、連結素子１８が円形の円筒形のガイド（ｇｕｉｄｅ）２０、球形の遮断装置２２、スライダー（ｓｌｉｄｅｒ）２３および停止装置２５を含んで成ることがより詳細に示されている。結合機関２４はスライダー２３中の第１のトラックの形態にあり、そこでは結合機関２４はより浅い部分（ｍｏｒｅ  ｓｈａｌｌｏｗ  ｐａｒｔ）Ａとより深い部分（ａ  ｄｅｅｐｅｒ  ｐａｒｔ）Ｂを有し、それらが遮断装置２２およびガイド２０中の溝２１と共働する。
【００１４】
同様に、図６および７から、連結素子はがイド２０中の１つの穴中に配置された停止装置２５と共働する末端制限部（ｅｎｄ  ｒｅｓｔｒｉｃｔｉｏｎｓ）ＣおよびＤを伴なうスライダー２３中のトラック２６を含んで成ることができることを認めることができる。停止装置２５はガイド２０を囲むばねのリング２７によりガイド２０中に定位置に維持される。
【００１５】
ガイド２０、スライダー２３およびロッド１７のような連結素子の主要部品は可塑性材料のような成形可能な材料に製造することができる。
【００１６】
椅子の背部２の直立位において、遮断装置２２は、図２から明白であるように、スライダー２３中の結合機関２４中の浅い位置Ａとガイド２０中の溝２１の間に重力により落下するであろう。椅子の背部２が図３に示すように傾斜すると、頭支え機能がロックされる。図４に示したような椅子の背部２の傾斜位においては、頭支え３の僅かな（手動の）前方への引っ張りが、結合機関２４中の浅い位置Ａと溝２１の間の留め（ｃｌａｍｐ）から、結合機関２４のより深い位置Ｂに、重力により遮断装置２２を開放し、それにより図５に示すように頭支えを開放するであろう。これは、スライダー２３がガイド２０中を移動して、椅子の背部２の新規の直立位になるまで、結合機関中の位置Ａと溝２１の間に落下しないであろうことを意味する。椅子の背部２が再度傾斜される時には、遮断装置２２はスライダー２３をガイド２０にロックして、頭支え機能は連結素子１８と協力して再獲得されるであろう。
【００１７】
この態様においては、頭支え３の移動は更に、末端制限部ＣおよびＤの間でグライダートラック２６中を走行するガイドの停止装置２５により制限されることにより、ガイド２０中のスライダー２３の移動により制限される。これはスライダー２３が、停止装置２５がトラック２６中の末端制限部Ｃに立ち向かう時よりもガイド２０中に更に移動することができないので、直立位における、頭支えの前方への移動を制限する（図１および６参照）。頭支え３の傾斜位においては、前方および後方双方への移動が制限され、後者は、停止装置２５がその場合はトラック２６中の末端制限部Ｄに立ち向かうまで、スライダー２３がガイド２０から逸脱する方向に移動する点で、もっとも最近の興味を引かれる現象である（図５および７参照）。
【００１８】
図２〜５に示した態様においては、椅子には更に、図４に示すような、その片方の末端を椅子の背部に、そしてその他方の末端を頭支え上の接合具１９にトラック３１により取り付けられた駆動装置（ｄｒｉｖｅｒ）３０が付いている。駆動装置３０は傾斜位における後方への歪に対して頭支え３を固定し、スライダー２３が直立位にあるガイド２０中にはるばる移動して、遮断装置２２を溝２１と、結合機関２４中の位置Ａの間に再度落下させるように、椅子の背部２が持ち上げられる時に、頭支え３にそれをもたらす。
【００１９】
他の態様においては、繰り返し述べたようなトラックを伴なう停止装置は図に示したもの以外の連結素子中の他の場所に、または椅子の背部２と頭支え３の間の他の移動可能な部品上、例えば頭支えのアーチ状にされたガイド上もしくは駆動装置３０に類似の別個の停止装置として配置することができるか、あるいは機能を座面に附属させる（ａｔｔｅｎｄｅｄ）ことができる。
【００２０】
駆動装置３０も同様に、椅子の背部２と頭支え３の間の他の場所に配置することができるか、またはその機能を例えば座面、もしくは頭支えのアーチ状にされたガイド中の装置に附属させることができる。更に、駆動装置３０は特定の長さをもつワイヤもしくは類似の柔軟な機関のような他の方法で構成することができる。
【００２１】
連結素子はその上端では、結合具１９中で頭支え上に固定されているロッド１７として形成することができる。ロッド部分は適当な弾性の柔軟性を与える形状をもつことができる。あるいはまた、ロッドは幾らかアーチ状にされたまたは少なくとも１種の僅かな角度を含むことができる。更に、ロッド１７は回転および／もしくはそれらの間の角度の変動を許すようにスライダー２３に取り付けることができる。
【００２２】
当業者は、以上の態様が１例であるのみであり、本発明が付記の請求の範囲によってのみ制約されることを理解するであろう。スライダーをもつガイド２０は円形以外の、例えば楕円形もしくは正方形のもう１種の横断面、をもつことができる。遮断装置２２も同様に、重力により影響を受ける１個のローラーもしくはもう１種の素子であることができる。結合機関２４および溝２１は遮断装置２２に適合されたもう１種の適したデザイン、例えば溝２１、遮断装置２２および結合機関２４の前記の機能を確保する単純なｖ−型のトラック、をもつことができる。
【００２３】
たとえ工業的生産およびその経費の双方において、本発明に従う連結素子の大部分の部品を成形可能な可塑性材料から生産することが好ましいとしても、金属もしくは焼結物質のようなその他の物質を使用することができることは理解されるであろう。
【図面の簡単な説明】
【００２４】
【図１】頭支えが点線で傾斜位に示されると同時に、椅子の背部が傾斜位にある、側面から見た本発明に従う椅子の疑似模型図（ｐｈａｎｔｏｍ  ｄｒａｗｉｎｇ）である。
【図２−５】縦のプロフィルにおける本発明に従う連結素子の１態様における、椅子の背部に対する頭支えの異なる位置を表わす。
【図６−７】より詳細な、ロック位および開放位（ｕｎｃｏｕｐｌｅｄ  ｐｏｓｉｔｉｏｎ）それぞれの図２〜５連結素子を表わす。
【国際公開パンフレット】
2004530522.tif 000003
2004530522.tif 000004
2004530522.tif 000005
2004530522.tif 000006
2004530522.tif 000007
2004530522.tif 000008
2004530522.tif 000009
2004530522.tif 000010
2004530522.tif 000011
2004530522.tif 000012
2004530522.tif 000013
2004530522.tif 000014
2004530522.tif 000015
2004530522.tif 000016
2004530522.tif 000017
2004530522.tif 000018
2004530522.tif 000019
2004530522.tif 000020
【国際調査報告】
2004530522.tif 000021
2004530522.tif 000022